(57)【要約】【課題】焼骨を生分解の作用で自然分解させて土に戻すことで、焼骨の形状を止めずに自宅の庭や敷地に埋葬することができる埋葬システム及び埋葬装置を提供する。【解決手段】火葬後の遺骨を収納する分解器１０を用いた埋葬システムを構成する。分解器に開閉自在に設けられた開口部１１から遺族の手で分解器１０の中に焼骨１を収納する収納手段を設ける。該分解器１０の中で、生分解作用を有する分解用土２により焼骨を生分解せしめる分解手段を設ける。分解用土２を攪拌することで分解用土による生分解作用を促進せしめる攪拌手段を備える。焼骨１が生分解された後の分解用土２を分解器１０の開口部１１から遺族の手で取り出して埋葬する。【選択図】図１
2008174899.tif 000002
【特許請求の範囲】
【請求項１】
火葬後の焼骨を収納し生分解する分解器を用いた埋葬システムであって、分解器に焼骨を収納する開口部を開閉自在に設け、遺族が開口部から分解器の中に焼骨を収納する収納手段と、分解器の中に予め分解用土を配置し、該分解用土の生分解作用により焼骨を生分解せしめる分解手段と、分解用土と焼骨を攪拌する攪拌手段とを備え、焼骨が生分解された後の分解用土を分解器の開口部から遺族の手で取り出して埋葬することを特徴とする埋葬システム。
【請求項２】
火葬後の焼骨を収納する箱状の分解器と、該分解器内に予め配置され焼骨を生分解せしめる分解用土と、該分解用土の生分解を促進せしめる電動式の攪拌羽根とを設け、分解器の外側面に、攪拌羽根の電源スイッチと、遺骨の芳名を記入する芳名記入欄とを設けたことを特徴とする埋葬装置。
【請求項３】
前記分解器の上面に、焼骨を収納する開口部と該開口部を開閉自在に施蓋する蓋体とが設けられ、焼骨を収納する際及び生分解されたあとの分解用土を取り出す際に、遺族の手によって開口部を開閉するように設けられた請求項２記載の埋葬装置。
【請求項４】
前記攪拌羽根は、前記分解器内で生分解されたあとの分解用土を取り出す際に妨げにならない内部側面に沿って縦回転するように配設された請求項２記載の埋葬装置。
【発明の詳細な説明】
【技術分野】
【０００１】
本発明は、火葬後のひとの焼骨を生分解作用で分解し、土に返すのに好適な埋葬システム及び埋葬装置に関する。
【背景技術】
【０００２】
故人が生前から散骨を希望していたり、あるいは、遺族が火葬後の焼骨を自宅の敷地へ埋葬することを希望したりすることがある。ところが、わが国の墓地埋葬法では、焼骨をそのままで散骨することについて原則禁止とされ、厳しい制限が課せられている。しかしながら、宗教的思想から故人の焼骨を自然に戻したいと願う遺族の希望は決して少なくない。
【０００３】
特許文献１に、焼骨の散骨域を定めるように設定した墓園が提案されている。この墓園によると、具体的な散骨箇所に、該箇所を表示する表示物を置くことで、散骨を実現化しようとするものである。
【０００４】
また、特許文献２には、自然分解し易い材質にて形成した骨壷が記載されている。これによると、骨壷に焼骨を収納して地中に埋葬することで、数十年後には、この骨壷と共に焼骨が土に返るというものである。
【特許文献１】特開２０００−１２９９６０号公報
【特許文献２】特開２００１−２４５９４１号公報
【発明の開示】
【発明が解決しようとする課題】
【０００５】
ところが、特許文献１では、散骨場所が墓園の一角に特定されるので、遺族が希望する場所に散骨することができず、また、散骨した焼骨が野ざらし状態になりかねず、遺族の感情にはそぐわない可能性がある。
【０００６】
更に、特許文献２では、骨壷が生分解した後に焼骨の生分解が始まることになるので、焼骨が自然に返るまでには相当の年月を要することになり、遺族の存命中に焼骨を自然回帰させることは極めて困難である。
【０００７】
一方、少子化を迎え、墓地の返還や遺骨の処分などが社会的な課題となっており、今後の埋葬手段として、墓地としての形態から離れ合理的に自然に帰す手段が望まれている。
【０００８】
そこで本発明は、上述の課題を解消すべく創出されたもので、焼骨を生分解の作用で土に戻すことで、焼骨の形状を止めずに自宅の庭や敷地に埋葬することができる埋葬システム及び埋葬装置の提供を目的とするものである。
【課題を解決するための手段】
【０００９】
上述の目的を達成するため、本発明の第１の手段の埋葬システムは、火葬後の焼骨１を収納し生分解する分解器１０を用いた埋葬システムであって、分解器１０に焼骨１を収納する開口部１１を開閉自在に設け、遺族が開口部１１から分解器１０の中に焼骨１を収納する収納手段と、分解器１０の中に予め分解用土２を配置し、該分解用土２の生分解作用により焼骨１を生分解せしめる分解手段と、分解用土２と焼骨１を攪拌する攪拌手段とを備え、焼骨１が生分解された後の分解用土２を分解器１０の開口部１１から遺族の手で取り出して埋葬することにある。
【００１０】
第２の手段の埋葬装置は、火葬後の焼骨１を収納する箱状の分解器１０と、該分解器１０内に予め配置され焼骨１を生分解せしめる分解用土２と、該分解用土２の生分解を促進せしめる電動式の攪拌羽根１３とを設け、分解器１０の外側面に、攪拌羽根１３の電源スイッチ１４と、遺骨の芳名を記入する芳名記入欄１５とを設けている。
【００１１】
第３の手段において、前記分解器１０の上面に、焼骨１を収納する開口部１１と該開口部１１を開閉自在に施蓋する蓋体１２とが設けられ、焼骨１を収納する際及び生分解されたあとの分解用土２を取り出す際に、遺族の手によって開口部１１を開閉するように設けられている。
【００１２】
第４の手段の前記攪拌羽根１３は、前記分解器１０内で生分解されたあとの分解用土2を取り出す際に妨げにならない内部側面に沿って縦回転するように配設されたことを課題解消のための手段とする。
【発明の効果】
【００１３】
本発明の請求項１により、焼骨１が生分解された後の分解用土２を分解器１０の開口部１１から遺族の手で取り出して埋葬する埋葬システムであるから、焼骨の形状を止めずに文字通り土に戻した状態で自宅の庭や敷地に埋葬することが可能になった。この結果、遺族が希望する場所に埋葬可能で焼骨の状態で野ざらしになる不都合もない。また、故人の希望する場所に散布することも自由になる。更に、焼骨が生分解されるまでに数ヶ月で完了し、遺族の自らの手で埋葬するシステムであるから、遺族の意思及び故人の意思に沿った葬儀を行うことができる。しかも、本発明システムによる埋葬先を既存の墓地に適用した場合には、墓地の返還や遺骨の処分などの課題も解決する。また、先祖代々の墓地の改装や、寺院による無縁墓地の改装などにおいても、骨壷内の遺骨を生分解して土に返すことで、合理的な埋葬が可能になる。
【００１４】
請求項２によると、分解器１０の内部に分解用土２を収納し、攪拌羽根１３で回転させるといった極めてシンプルな構成でありながら、焼骨１を数ヶ月単位で生分解させることができる。この結果、遺族の存命中に故人を土に返すことが可能になった。
【００１５】
請求項３の分解器１０によると、遺族自らの手で焼骨１を分解器１０に収め、自らの手で分解器１０から取り出す行為となるので、遺骨が土に戻ったことを強い実感を伴って確認することができ、遺族にとって極めて印象深い葬儀が可能になるものである。
【００１６】
請求項４に記載の攪拌羽根１３によると、分解器１０内で生分解されたあとの分解用土2を取り出す際に、攪拌羽根１３が妨げにならないので、葬儀をスムーズに進行させることができる。
【００１７】
このように、本発明によると、焼骨の形状を止めずに自宅の庭や敷地に埋葬することができ、遺族の意思に基づいた葬儀を行うことができるなどといった優れた効果を奏するものである。
【発明を実施するための最良の形態】
【００１８】
本発明装置の最良の形態は、火葬後の遺骨を収納する箱状の分解器１０を設ける。該分解器１０内に予め収納され焼骨１を生分解せしめる分解用土２と、該分解用土２の生分解を促進せしめる電動式の攪拌羽根１３とを設ける。分解器１０の外側面に、攪拌羽根１３の電源スイッチ１４と、遺骨の芳名を記入する芳名記入欄１５とを設ける。分解器１０において、焼骨１を収納する開口部１１と該開口部１１を開閉自在に施蓋する蓋体１２とが分解器１０の上面に設けられる。焼骨１を収納する際及び生分解されたあとの分解用土２を取り出す際に、遺族の手によって開口部１１を開閉するように設ける。前記攪拌羽根１３は、前記分解器１０内で生分解されたあとの分解用土2を取り出す際に妨げにならない内部側面に沿って縦回転するように配設されることで当初の目的を達成するものである。
【実施例】
【００１９】
本発明埋葬システムは、焼骨１を生分解する分解器１０を使用する埋葬システムである。すなわち、分解器１０に火葬後の焼骨１を収納する収納手段と、分解器１０内部で焼骨１を生分解せしめる分解手段と、生分解作用を促進せしめる攪拌手段とを備えている。そして、焼骨１が生分解された後の分解用土２を分解器１０の開口部１１から遺族の手で取り出して埋葬するものである。
【００２０】
収納手段では、たとえば仏教で行われている四十九日法要に合わせて、焼骨１を分解器１０に収納するなど、従来の葬儀を取り入れることができる。この収納手段において、遺族が故人を偲びながら、分解器に開閉自在に設けられた開口部１１から遺族の手で分解器１０の中に焼骨１を収納する。したがって、収納手段では、この開口部１１から焼骨１を収納する際に、音楽や読経に伴って行うことにより、荘厳な儀式にすることができる。
【００２１】
分解手段は、生分解作用を有する分解用土２により、焼骨１を生分解せしめるものである。すなわち、分解用土２には、土壌菌やセルロース分解菌など、焼骨１を生分解する微生物が混入されている。この微生物には、前記土壌菌やセルロース分解菌のほか、酢酸菌、乳酸菌、酵母菌、光合成菌、硝酸菌、硝化細菌、窒素固定菌、水素細菌、などの好気性菌や微好気性菌などから、一種類あるいは複数種類組み合わせて使用することができる。また、これらの微生物を木炭や活性炭、珪藻土、ゼオライト等に担持したものを土に混合使用することも可能である。
【００２２】
攪拌手段は、分解用土２による生分解作用を促進せしめる手段である。好気性菌の生分解を促進させるには、攪拌羽根１３を回転させて分解用土２に空気を送り込む。また、分解用土２に混合する分解菌が嫌気性菌の場合は、分解器１０を密閉状態に保ちながら回転させるものである。このとき分解器１０の上部に設けた開口部１１から分解用土２を取り出す際に、攪拌羽根１３が妨げにならない位置に、縦回転するように設置している。前記分解用土２による生分解作用を、このような攪拌手段で促進させることで、焼骨１を数ヶ月単位で分解することが可能になる。
【００２３】
生分解された焼骨１を分解用土２ごと分解器１０から取り出したあとは、遺族の希望に従い、その一部又は全てを容器に移して持ち帰り、自宅の庭や敷地に撒いたり、この分解用土２を植栽や植林に利用したりするものである。尤も、焼骨１が土に返ったことを確認した上で、一般の墓に埋葬することも可能である。
【００２４】
本発明埋葬装置は、分解器１０と攪拌羽根１３とからなる極めてシンプルな構造を成している。分解器１０は、火葬後の遺骨を収納する箱状を成し（図１参照）、この分解器１０の内部に電動式の攪拌羽根１３を備えている（図２参照）。また、分解器１０の外側面には、攪拌羽根１３の電源スイッチ１４と、遺骨の芳名を記入する芳名記入欄１５とを設けている。分解器１０のサイズは、大小の二通りあり、小は個人用、大は合祀用とする。また、ペット用のサイズを別途設けることも可能である。
【００２５】
更に、分解器１０の上面に焼骨１を収納する開口部１１と該開口部１１を開閉自在に施蓋する蓋体１２とを設けている。この開口部１１は、遺族の手によって開口部１１を開閉するように設けられている。図示例では、観音開き状の蓋体１２を開口部１１に装着し、この蓋体１２の上面に一対の取っ手１２Aを設けている。このように設けることで、分解器１０の開口部１１を、遺族の手によってゆっくりと、且つ厳かに開けることができるので、儀式的な開閉操作が可能になる。また、分解用土２に嫌気性菌を使用する分解器１０では、この開口部１１を密閉状態に施蓋する蓋体１２が配置される。一方、好気性菌を使用する分解器１０では、施蓋した開口部１１から空気を導入できるように蓋体１２を設けるものである。
【００２６】
攪拌羽根１３は電動式であり、電源スイッチ１４により電源を入れることで回転する。この攪拌羽根１３は分解器１０内に予め収納された分解用土２を攪拌し、分解器１０の開口部１１から投入した焼骨１と分解用土２とを混合することで、焼骨１の生分解を促進せしめるものである。そして、焼骨１を収納する際及び生分解されたあとの分解用土２を取り出す際に、この攪拌羽根１３が妨げにならない内部側面に沿って縦回転するように配設している（図３参照）。
【００２７】
尚、本発明における図示例の各構成は、本発明の一実施例に過ぎず、分解器１０や蓋体１２のデザイン、あるいは攪拌羽根１３の数や形状、サイズ、装着位置など、本発明の要旨を変更しない範囲において自由に変更することができるものである。
【図面の簡単な説明】
【００２８】
【図１】本発明装置の一実施例を示す斜視図である。
【図２】本発明装置の一実施例を示す正断面図である。
【図３】本発明装置の一実施例を示す側断面図である。
【符号の説明】
【００２９】
１  焼骨        
２  分解用土
１０  分解器
１１  開口部
１２  蓋体
１２Ａ  取っ手
１３  攪拌羽根
１４  電源スイッチ
１５  芳名記入欄
【図１】
2008174899.tif 000003
【図２】
2008174899.tif 000004
【図３】
2008174899.tif 000005